(57)【要約】【課題】無線機（基地局）が故障等で障害が発生し、無線機（基地局）を代替無線機（基地局）に交換する場合に適したパラメータ設定を行えるようにすることを目的とする。【解決手段】無線機は、保守装置に対して送信する接続要求に、位置情報を含めて送信し、保守装置には、予め新規に設置する無線機の設置位置情報および諸元情報を対応づけた新規設置無線機リストと、故障無線機の諸元情報と障害情報を対応づけて保存した故障無線機リストを作成しておき、該リストに基づいて、接続要求を送信してきた無線機が、新規設置無線機が代替無線機かの判断を行い、判断結果に基づいて無線機に諸元情報を設定する。【選択図】  図６
2013223101.tif 000002
【特許請求の範囲】
【請求項１】
複数の無線機と、該複数の無線機とネットワークを介して接続され該複数の無線機の保守運用を行う保守装置とを少なくとも有する無線通信システムであって、
前記複数の無線機は、該無線機が設置されている場所の位置情報を取得する位置情報取得部を有し、設置場所に設置されて電源が入れられた時に、前記位置情報取得部により無線機の設置場所の位置情報を取得し、前記保守装置に対して送信する接続要求に、取得した位置情報を含めて送信し、
前記保守装置は、予め新規に設置する無線機の設置位置情報のリストと、新規に設置する無線機に設定する諸元情報を位置情報と対応づけて有しており、前記無線機からの接続要求に含まれる位置情報と前記新規無線機の設置位置情報のリストを照合して前記無線機が新規設置の無線機であるかどうか判断し、新規設置無線機であると判断した場合には、前記位置情報と対応づけて用意しておいた諸元情報を、該無線機に送信することを特徴とする無線通信システム。
【請求項２】
請求項１に記載の無線通信システムであって、
前記諸元情報は、システムパラメータと、ネイバーパラメータと、運用ソフトウェアとを少なくとも含むことを特徴とする無線通信システム。
【請求項３】
請求項１に記載の無線通信システムであって、
前記保守装置は、前記諸元情報に、前記無線通信システムで運用管理しているＩＰアドレス体系に基づいて前記無線機に付与するＩＰアドレスを含めて送信することを特徴とする無線通信システム。
【請求項４】
複数の無線機と、該複数の無線機とネットワークを介して接続され前記複数の無線機の保守運用を行う保守装置とを少なくとも有する無線通信システムであって、
前記複数の無線機は、該無線機が設置されている場所の位置情報を取得する位置情報取得部を有し、
前記保守装置は、前記複数の無線機の諸元情報と前記複数の無線機の位置情報を対応付けて管理しており、
前記保守装置は、前記複数の無線機のいずれかから、障害報告を受信すると、前記障害報告を送信してきた無線機の諸元情報と、障害の記録を対応づけて故障無線機リストに記憶しておき、無線機から接続要求を受信した場合に、前記無線機からの接続要求に含まれる位置情報と前記故障無線機リストを照合して前記無線機が故障無線機の代替無線機であるかどうか判断し、前記接続要求を送信してきた無線機が故障無線機の代替無線機であると判断した場合には、前記故障無線機の諸元情報および障害の記録情報を該無線機に送信することを特徴とする無線通信システム。
【請求項５】
請求項４に記載の無線通信システムであって、
前記諸元情報は、システムパラメータと、ネイバーパラメータと、運用ソフトウェアとを少なくとも含むことを特徴とする無線通信システム。
【請求項６】
請求項４に記載の無線通信システムであって、
前記諸元情報に、前記無線通信システムで運用管理しているＩＰアドレス体系に基づいで前記無線機に付与するＩＰアドレスを含めて送信することを特徴とする無線通信システム。
【請求項７】
前記保守装置は、無線機から接続要求を受信した場合に、接続要求に含まれる前記無線機の位置情報に基づいて、前記請求項１の新規設置の無線機であるかどうかの判断および前記請求項４記載の故障無線機の代替無線機であるかどうかの判断を行い、判断結果に基づいて、無線機の諸元情報の設定を行うことを特徴とする無線通信システム。
【請求項８】
複数の無線機と、該複数の無線機とネットワークを介して接続され前記複数の無線機の保守運用を行う保守装置とを少なくとも有する無線通信システムにおける無線機諸元情報の設定方法であって、
前記複数の無線機は、該無線機が設置されている場所の位置情報を取得する位置情報取得機能を有し、
前記保守装置は、前記複数の無線機の諸元情報と前記複数の無線機の位置情報を対応付けて管理しており、
前記保守装置は、前記複数の無線機のいずれかから、障害報告を受信すると、前記障害報告を送信してきた無線機の諸元情報と、障害の記録を対応づけて故障無線機リストに記憶しておき、
前記保守装置は、無線機から接続要求を受信した場合に、前記無線機からの接続要求に含まれる位置情報と前記故障無線機リストを照合して前記無線機が故障無線機の代替無線機であるかどうか判断し、前記接続要求を送信してきた無線機が故障無線機の代替無線機であると判断した場合には、前記故障無線機の諸元情報および障害の記録情報を該無線機に送信することを特徴とする無線通信システムにおける無線機諸元情報の設定方法。
【発明の詳細な説明】
【技術分野】
【０００１】
本発明は、無線通信技術に関し、特に無線通信システムの保守運用に関する。
【背景技術】
【０００２】
従来の無線通信システムの保守運用においては、運用中の無線機が故障し、代替無線機に交換する作業を実施する場合に、代替無線機に対して、故障した無線機に設定されているシステムパラメータや、無線機の動作を制御するプログラム等のソフトウェアを、作業員がマニュアル操作により、設定していた。こうしたシステムパラメータやソフトウェア等の情報の入力は、故障した無線機が設置されていた場所、あるいは代替無線機の保管倉庫等で、マニュアル操作により代替無線機がもつ外部インターフェースにパーソナルコンピュータなどの設定機器を接続し、その設定機器の操作により、設定することで対応していた。
【０００３】
運用中の無線機が故障し、代替無線機に交換する作業を実施する場合に、故障した無線機の設置場所や代替無線機の保管倉庫等で代替無線機にシステムパラメータの設定やソフトウェアのインストールを行う場合、保守用のパーソナルコンピュータ等の設定機器が必要となり、作業員も設定手順を熟知する必要があるという課題があった。無線機は全国に配置されているため、無線機の故障により通信ができない期間を、極力最小化するには、システムパラメータの設定や、ソフトウェアのインストール作業に熟練した作業員を全国に配置する必要があった。
【０００４】
また、予備品として代替無線機を全国の保管倉庫に置く場合、倉庫に置かれていた予備品にインストールされているソフトウェアやシステムパラメータの設定が古くなってしまった場合、現地作業員がマニュアル操作で設定を実施しなければならない。そこには、ヒューマンエラーのために、システムパラメータやソフトウェアが正しく設定できていない可能性もある。
【０００５】
さらに、代替無線機のシステムパラメータやソフトウェアを、設定機器などの関係から、保管倉庫でしか設定できない場合では、代替無線機を運搬する際の送付先の間違いなどで、誤った設置場所に運んだ場合、現地では代替無線機のシステムパラメータやソフトウェアの再設定ができないため、再度、代替無線機を保管倉庫に戻してシステムパラメータやソフトウェアを修正することで対応する必要があった。
【０００６】
こういった課題に対し、無線機（基地局）が、自己の設置位置情報を認識して、設置位置情報に基づいて、サーバから保守運用に関するパラメータを取得し、設定を行う技術が特許文献１ないし５に開示されている。
【先行技術文献】
【特許文献】
【０００７】
【特許文献１】ＷＯ２００８／１４２７７６
【特許文献２】ＷＯ２００９／０９３７３３
【特許文献３】特開２００９−１７７４８２号公報
【特許文献４】ＷＯ２００９／１４５２１０
【特許文献５】特開２０１０−２８３６３８
【発明の概要】
【発明が解決しようとする課題】
【０００８】
前述の特許文献に記載された発明は、無線機（基地局）の設置時、またはオペレータ側でゲートウェイ装置の切替えを行った場合に、無線機（基地局）が、自己の設置位置情報を認識して、設置位置情報に基づいて、サーバに接続してサーバから保守運用に関するパラメータを取得するというものであり、無線機（基地局）が故障等で障害が発生した場合に、無線機（基地局）を代替無線機（基地局）に交換する場合のパラメータの設定について考慮されていなかった。
【０００９】
本発明は、上記課題を解決するためになされたもので、無線機（基地局）が故障等で障害が発生し、無線機（基地局）を代替無線機（基地局）に交換する場合に適したパラメータ設定を行えるようにすることを目的とする。
【課題を解決するための手段】
【００１０】
上記課題を解決するために、本発明の無線通信システムは、一例として、無線機は、保守装置に対して送信する接続要求に、位置情報を含めて送信し、保守装置には、予め新規に設置する無線機の設置位置情報および諸元情報を対応づけた新規設置無線機リストと、故障無線機の諸元情報と障害情報を対応づけて保存した故障無線機リストを作成しておき、該リストに基づいて、接続要求を送信してきた無線機が、新規設置無線機が代替無線機かの判断を行い、判断結果に基づいて無線機に諸元情報を設定するようにしたものである。
【発明の効果】
【００１１】
本発明によれば、障害の発生した無線機を交換する場合に、無線機の位置を特定し、当該無線機の既存データーをネットワークを経由して、交換後の代替無線機に配信することにより、現地作業員の作業工数低減及び、データー設定誤りの低減を図ることが可能となる。
【図面の簡単な説明】
【００１２】
【図１】本発明の一実施例における無線通信システムの構成を説明する図である。
【図２】本発明の一実施例における接続要求のフォーマットを説明する図である。
【図３】本発明の一実施例における無線機の構成を説明する図である。
【図４】本発明の一実施例における保守装置の構成を説明する図である。
【図５】本発明の一実施例における無線機設置時の諸元設定処理のシーケンスを説明する図である。
【図６】本発明の一実施例における代替無線機設置時の諸元設定処理のシーケンスを説明する図である。
【図７】本発明の一実施例における無線機の動作のフローを説明する図である。
【図８】本発明の一実施例における保守装置の動作のフローを説明する図である。
【発明を実施するための形態】
【００１３】
以下、本発明の実施形態を図面を用いて説明する。
【００１４】
図１は本発明の一実施例における無線通信システムの構成を示す図である。
本発明の無線通信システムは、無線端末１００と、無線機１１０と、無線機１１０にエントランス回線１２０で接続されるコアネットワーク１５０と、コアネットワーク１５０に接続されるＤＨＣＰ（Dynamic Host Configuration Protocol）サーバ１４０と、コアネットワーク１５０に接続される保守装置１３０で構成される。
【００１５】
図３は、本発明の一実施例における無線機の構成を示す図である。
無線機は、アンテナ１１１、ＧＰＳ（Global Positioning System  グローバルポジショニングシステム）アンテナ１１２、高周波部（ＲＦ：Radio Frequency部）３１０、変復調部３２０、記憶部３３０、ＧＰＳ受信部３４０、制御部３５０、外部インターフェース部３６０、バス３７０などから構成される。無線機は、コアネットワーク１５０とは外部インターフェース部３６０を介して接続される。
無線機の設置位置に関する情報はＧＰＳアンテナ１１２を介して、ＧＰＳ受信部３４０でＧＰＳ信号を受信し、制御部３５０で、記憶部３３０に記憶させてある手順で処理され、処理された無線機の設置位置に関する情報は、記憶部３３０に格納され、無線機が接続要求を発出させる場合には、接続要求は、外部インターフェース部３６０を介してコアネットワーク１５０経由で保守装置１３０に送信される。
【００１６】
図４は、本発明の一実施例における保守装置の構成を示す図である。
保守装置は、コアネットワーク１５０に接続するための外部インターフェース部４３０を持ち、インターネット上のパケットを送受信することができる。外部インターフェース部４３０が受信した情報は、データバス４４０に流され、他のデバイスが読みとることができる。また、他のデバイスが作成し、ＩＰパケットとして送られるデータバス４４０上を流れる情報は、外部インターフェース部４３０が受信して、ＩＰパケットに変換し、コアネットワーク１５０に送信される。データバス４４０は、後述のいくつかのデバイスと接続する。まず、全体の制御プログラムを実行する制御部４２０が接続されている。制御部４２０はＣＰＵなどのハードウェアからなり、ソフトウェアによって記述されたプログラムを実施している。プログラムは記憶部４１０に保存されており、適宜、制御部４２０に呼び出される。また記憶部４１０は、無線機のシステムパラメータや、ネイバーパラメータ、運用ソフトウェアなどの情報も蓄積している。また、保守装置１３０は、保守者とのインターフェースを具備する。一例として、図３では表示装置１３５とキーボード４５０を記載している。
以下の実施例では、（１）無線機の新規設置、（２）故障した無線機の取り換え、の順に説明する。
【００１７】
(1)無線機の新規設置
図５を用いて、無線通信システムに、新規の無線機１１０ａを設置する場合についてのシーケンスを説明する。
無線機１１０ａは、無線通信システムを構築するために、保守者が事前に検討して決定した場所に設置される（ステップ５１０）。無線機１１０ａは、同一箇所に設置されたＧＰＳアンテナからの信号を受信し、無線機１１０ａが持つ、ＧＰＳ機能を利用して、設置場所の緯度・経度情報を取得する（ステップ５１１）。
保守装置１３０の操作者１６０は、無線機１１０ａが設置されたことを知っており、入出力装置を介して設置された無線機に対して、システムパラメータ及びネイバーパラメータ及び運用ソフトウェアの指定など、無線機諸元格納５０１を保守装置１３０に対して指示する。保守装置１３０は、指示に従い無線機諸元を、記憶部４１０に格納する、無線機諸元格納（ステップ５０２）を実施する。ここで、システムパラメータは、各無線機に固有の設定情報である。また、ネイバーパラメータは無線機１１０ａに隣接する他の無線機（図には記載なし）に関する情報である。
【００１８】
次に無線機１１０ａは、ＩＰアドレスを取得するために、ＤＨＣＰサーバ１４０にＩＰアドレス要求５２０を送信する。続いてＤＨＣＰサーバ１４０は無線機１１０ａにＩＰアドレス割当５２１を送信してＩＰアドレスを割当る。ＩＰアドレスを取得した無線機１１０ａは、保守装置１３０に対して、接続要求５３１を送信する。このとき接続要求５３１には無線機１１０ａの設置場所情報である緯度・経度情報が含まれる。
【００１９】
接続要求を受け取った保守装置１３０は、接続要求に含まれる緯度・経度情報を例えば予め保守装置に登録されている無線機の位置情報と比較し、その距離が、例えば２０ｍ以内であれば、従来の無線機の設置場所であるとの判断をすることで、接続要求が、新規の無線機の設置場所から来たのか、あるいは、故障等で取り換えた無線機の代替品からなのかを確認する新規・代替判別を行う（ステップ５３３）。
【００２０】
例えば、保守装置１３０の記憶部４１０のデータベース上に、既設の無線機の位置情報等が含まれている諸元情報のリストとは別に、無線通信システムの構築時に事前に検討して決定した新規に設置する無線機の位置情報を、新規設置無線機リストとして予め登録しておき、無線機から接続要求があった場合に、最初に新規設置無線機リストを参照して、該当無線機の有無を判別する。
【００２１】
無線機１１０ａが新規設置と確認された場合には、保守装置１３０は新規接続要求表示５３４を実施して表示画面１３５に新規接続要求があることを表示し、操作者１６０に通知する。操作者が、新規設置無線機リストに登録された無線機であることを確認するために、画面上に無線機から送信されてきた緯度・経度情報を使い、地図とマッピングさせて確認できるようになっている。
【００２２】
操作者１６０は、表示に基づいて新規設置無線機からの接続要求であることを確認し、承認すると、操作者の操作により無線機接続承認５４０が保守装置１３０に通知される。操作の方法としては、例えば表示装置に付属のキーボード４５０などが用いられる。この時、新規設置無線機については、予め、記憶部４１０に、設置位置とリンクさせる形で、システムパラメータ、ネイバーパラメータ等の無線機諸元、および、運用ソフトウェアなどの無線機に設定するべき情報が記憶されている。
【００２３】
無線機接続承認５４０を受信した保守装置１３０は、新規設置として承認した無線機に設定されるべき情報、すなわち、予め記憶部４１０に設置位置とリンクさせる形で、記憶しておいたシステムパラメータ及びネイバーパラメータ等の無線機諸元及び運用ソフトウェア等を無線機諸元呼出（ステップ５４１）で検出する。
【００２４】
続いて無線機諸元設定５４２で、上記で記憶部４１０から呼び出した情報を、無線機１１０ａに対して送信する。
続いて諸元設定（ステップ５４３）では、無線機１１０ａは、無線機諸元設定５４２で受信したシステムパラメータ及びネイバーパラメータ等の無線機諸元及び運用ソフトウェア等を無線機１１０ａに設定する。
【００２５】
ここで、ＤＨＣＰサーバ１４０から割り当てられたＩＰアドレス６４１に代わり、無線通信システムで運用管理しているＩＰアドレス体系に基づいた特定のＩＰアドレスを無線機諸元設定に含めて送信し、設定することも可能である。無線機諸元設定５４２で受信したシステムパラメータ及びネイバーパラメータ等の無線機諸元及び運用ソフトウェア等を無線機１１０ａに設定したら、無線機１１０ａは、諸元設定完了通知５５０を保守装置１３０に送信する。
【００２６】
続いて保守装置１３０は、操作者１６０に対して、諸元設定完了表示５５１を実施して、表示画面１３５上に、無線機への諸元設定が完了したこと表示する。操作者１６０は、諸元設定完了表示５５１の内容を確認し、無線機１１０ａの電波発射を実施する為に保守端末に対して電波発射指示５６０を入力する。電波発射指示５６０を受けた保守端末１３０は、電波発射指示５６１を無線機１１０ａに送信する。
【００２７】
無線機１１０ａは、電波発射指示５６１を受信して電波発射（ステップ５６２）を実施し、無線機の状態を、運用中５７０に移行する。
【００２８】
（２）故障した無線機の取り換え
次に図１の無線通信システムにおいて、無線機１１０ａが故障した場合に代替無線機１１０ｂに交換する場合の例を図６のシーケンスに従い説明する。
【００２９】
無線機１１０ａが故障した場合に、無線機１１０ａは、障害検出６００で障害を検出し、保守端末１３０に障害報告６０１で無線機１１０ａが故障したことを通知する。
通知を受けた保守端末１３０は、障害通知６０２を実施して表示画面１３５上に、無線機障害があることを表示する。表示を見た操作者１６０は、無線機１１０ａの運用を停止するための停波指示６１０を保守装置１３０に入力する。保守装置１３０は、操作者１６０からの停波指示６１０により無線機１１０ａのシステムパラメータ及びネイバーパラメータ等の無線機諸元及び運用ソフト等の固有情報を無線機諸元情報格納６１１を実施し記憶部４１０へ格納する、この際に、無線機が故障が発生した記録もリンクさせて保存しておく。この故障記録によって、後の新規・代替判別（ステップ６５２）において、新設か代替であるかを判別しやすくなる。
【００３０】
例えば、保守装置１３０の記憶部４１０のデータベース上に、既設の無線機の位置情報等が含まれている諸元情報のリストとは別に、保守装置１３０が障害を検出した場合に、障害を検出した無線機１１０ａの位置情報を故障無線機リストとして操作者等が予め登録しておき、接続要求があった場合に、新規設置無線機リスト及び故障無線機リストを参照して、無線機が新規設置無線機または故障無線機であるかどうかを判別する。
【００３１】
さらに保守装置１３０は、無線機１１０ａに対して、停波指示６１２を通知する。保守装置１３０からの停波指示６１２を受けた無線機１１０ａは、無線機停波（ステップ６１２）で、無線機１１０ａの運用を停止する。
【００３２】
次に、工事業者の作業者等によって、工事撤去６２０で無線機１１０ａを撤去する。この時、アンテナ１１１及びＧＰＳアンテナ１１２等の附帯設備は撤去しないで無線機本体のみ撤去する場合もある。
【００３３】
次に、無線機設置（ステップ６３０）において、代替無線機１１０ｂが、故障した無線機１１０ａの代わりに設置される。図５で説明した無線機を新設する場合のシーケンスと同様に、設置場所を特定するため、緯度・経度測定６３１が実施される。無線機１１０ｂは、ＩＰアドレスを取得するために、ＤＨＣＰサーバ１４０にＩＰアドレス要求６４０を送信する。続いてＤＨＣＰサーバ１４０は、無線機１１０ｂに割当てられたＩＰアドレス６４１を送信する。続いてＩＰアドレスを取得した無線機１１０ｂは、保守装置１３０に接続要求６５０を送信して保守装置との接続を行う。このとき接続要求６５０には無線機１１０ｂの設置場所情報である緯度・経度情報を含む。接続要求を受け取った保守装置１３０は、接続要求に含まれる緯度・経度情報を予め保守装置のデータベースの新規設置無線機リストまたは故障無線機リストに登録されている無線機の位置情報と比較し、その距離が、例えば２０ｍ以内であれば、リストに登録されている無線機の設置場所であるとの判断をすることで、接続要求が、新規設置の無線機のか、あるいは、故障等で取り換えた無線機の代替品からなのかを確認する新規・代替判別を行う（ステップ６５２）。故障無線機リストを参照することにより、新規・代替判別処理の判別時間を短縮することが可能となる。
【００３４】
無線機１１０ｂが代替機の場合には、保守装置１３０は、無線機交換確認依頼６５３を実施して表示画面１３５に無線機交換要求があることを表示し、操作者１６０に通知する。操作者１６０が無線機交換を承認する場合には、表示画面１３５を確認して、無線機交換承認６５３を入力する。入力の方法は、例えば表示装置のキーボード４５０などで入力することで対応が可能である。
【００３５】
続いて無線機交換承認６５３を受信した保守装置１３０は、予め記憶部４１０に格納されている撤去した無線機１１０ａのシステムパラメータ及びネイバーパラメータ等の無線機諸元及び運用ソフトウェア等を無線機諸元呼出（ステップ６６０）において検出する。無線機諸元設定６７０では、保守装置１３０は、無線機１１０ｂに検出した情報を送信する。
【００３６】
諸元設定（ステップ６７１）では、無線機１１０ｂは、無線機諸元設定６７０で受信したシステムパラメータ及びネイバーパラメータ等の無線機諸元及び運用ソフト等を設定する。ここで、ＤＨＣＰサーバ１４０から割り当てられたＩＰアドレス６４１に代わり、無線通信システムで運用管理しているＩＰアドレス体系に基づいた故障した無線機１１０ａのＩＰアドレスを無線機諸元設定に含めて送信し、無線機１１０ｂに設定することも可能である。
【００３７】
無線機１１０ｂは、無線機諸元設定完了後、諸元設定完了通知６７２を保守装置１３０に送信する。保守装置１３０は、諸元設定完了表示６７２によって、表示画面１３５に無線機への諸元設定が完了したことを示す。画面を確認した操作者１６０は、無線機１１０ｂの電波発射を実施する為に電波発射指示６８０を保守端末に入力し、続いて保守端末１３０は電波発射指示６８１を無線機１１０ｂに送信する。無線機１１０ｂは、電波発射指示６８１を受信して電波発射６８２を実施し、続いて無線機運用中６９０で運用状態へ移行する。
【００３８】
本実施例では、このように、無線機設置場所では、無線機の撤去と代替無線機への物理的な交換作業だけを行うだけでよく、無線機固有のパラメータ及び運用ソフトウェア等の設定を、現地の作業者が直接実施することなく交換作業などの対応が可能となる。
【００３９】
図２は保守装置が送信する接続要求のフォーマット例である。
接続要求は、無線機１１０を識別する無線機識別符号２０１、割当済ＩＰアドレス２０２、位置情報（１）緯度２０３、位置情報（２）経度２０４、位置情報（３）標高２０５、無線機タイプ２０６、運用ソフト版数２０７等が含まれる。本実施例では、接続要求に、位置情報を含めることを特徴とした。
【００４０】
図７は無線機１１０が運用開始するまでのフロー図の一例である。
無線機１１０を決められた場所に設置し、電源を投入するとＧＰＳによる位置情報取得７０１を実施し、ＧＰＳを利用して緯度・経度情報を取得する。つづいて、保守装置へ接続するためＤＨＣＰサーバへＩＰアドレス要求７０２を実施する。続いてＤＨＣＰサーバからＩＰアドレス割当７０３でＩＰアドレスを割当てられる。割当てられたＩＰアドレスを利用して、保守端末１３０に接続要求７０４を実施する。接続要求７０４には、前記緯度・経度等の位置情報等が含まれる。続いて保守端末１３０から、システムパラメータ及びネイバーパラメータ等の無線機諸元及び運用ソフト等の情報を諸元設定７０５で当該無線機１１０に設定する。つづいて諸元設定完了通知送信７０６で保守端末１３０へ諸元の設定が完了したことを通知する。続いて保守端末１３０からの電波発射指示を電波発射指示受信７０７で受け付け、続いて電波発射７０８を実施し無線機１１０は運用開始となる。
【００４１】
図８は保守装置１３０が無線機１１０に電波発射指示を出すまでのフロー図である。
操作者１６０が入力した無線機諸元格納指示あるいは、操作者１６０からの停波指示で、無線機諸元情報格納８０１で無線機１１０固有の諸元情報を記憶部４１０に格納する。続いて接続要求受信８０２で無線機１１０からの接続要求５３１あるいは接続要求６５０を受信する。続いて無線機設置場所特定８０３で接続要求５３１あるいは接続要求６５０に含まれる緯度・経度情報で無線機の設置場所を特定する。続いて新設・代替機判別８０４で接続要求５３１あるいは接続要求６５０を送信した無線機１１０が新設なのか、代替機なのか判別を設置場所の情報を基に実施する。新設の場合は新規接続要求８０５を操作者８６０に通知し、つづいて新規接続承認受信８０６で接続許可を得る。一方代替機の場合には無線機交換確認依頼８０７を操作者８６０に通知し、つづいて無線機交換承認受信８０８で無線機の交換許可を得る。続いて無線機諸元呼出し８０９で予め記憶部４１０に格納されている無線機１１０固有の諸元情報を呼出、続いて無線機諸元設定８１０で無線機１１０へ前記諸元を設定する。続いて、無線機１１０への諸元設定の完了を諸元設定完了通知受信８１１で受信して、続いて操作者１６０へ諸元の設定が完了したこと通知する為に諸元設定完了表示８１２を実施する。続いて操作者１６０からの電波発射の指示を電波発射指示受信８１３で受信し、続いて無線機１１０へ電波発射の指示を電波発射指示８１４で実施する。
【符号の説明】
【００４２】
１００…無線端末、１１０…無線機、１１１…アンテナ、１１２…ＧＰＳアンテナ、１２０…エントランス回線、１３０…保守装置、１３５…表示画面、１４０…ＤＨＣＰサーバ、１５０…コアネットワーク、３１０…ＲＦ部、３２０…変復調部、３３０、４１０…記憶部、３４０…ＧＰＳ受信部、３５０、４２０…制御部、３６０、４３０…外部インターフェース部、３７０、４４０…バス、４５０…キーボード。
【図１】
2013223101.tif 000003
【図２】
2013223101.tif 000004
【図３】
2013223101.tif 000005
【図４】
2013223101.tif 000006
【図５】
2013223101.tif 000007
【図６】
2013223101.tif 000008
【図７】
2013223101.tif 000009
【図８】
2013223101.tif 000010